(57)【要約】【課題】複数の植木鉢形状の育苗用ポットを同時に取り上げ、収納凹部を有するトレーに順次装着するのに最適な育苗用ポット等の装着装置を提供することを課題とする。【解決手段】一端を固定した支軸の設けられた上部プレートと、該上部プレートの下方側で平行で、且つ前記支軸が貫通して設けられた下部プレートと、該下部プレートの貫通した支軸の周縁に一端側を固定し、且つテーパー状に広がって形成された他端側を支軸の他端側に設けられたガイド体に挿通して設けられたポット保持体とから構成されていることである。【選択図】図１
2004208680.tif 000002
【特許請求の範囲】
【請求項１】
一端を固定した支軸の設けられた上部プレートと、該上部プレートの下方側で平行で、且つ前記支軸が貫通して設けられた下部プレートと、該下部プレートの貫通した支軸の周縁に一端側を固定し、且つテーパー状に広がって形成された他端側を支軸の他端側に設けられたガイド体に挿通して設けられたポット保持体とから構成されていることを特徴とする育苗用ポット等の装着装置。
【請求項２】
前記下部プレートには、該下部プレートに一端側を固定し、他端側を上部プレートより貫通し、且つ中途部が折れ曲がるように構成された支柱と、該支柱の他端部に設けられた把持部とから構成された操作部が設けられている請求項１記載の育苗用ポット等の装着装置。
【請求項３】
前記ガイド体の外周縁には、ポット保持部で育苗用ポット等を装着した際、育苗用ポット等が内側に変形するのを防止する防止体が設けられている請求項１又は２に記載の育苗用ポット等の装着装置。
【発明の詳細な説明】
【０００１】
【発明の属する技術分野】本発明は、複数の植木鉢形状の育苗用ポットを同時に取り上げ、収納凹部を有するトレーに順次装着するのに最適な育苗用ポット等の装着装置に関する。
【０００２】
【従来の技術】鑑賞用花、農作物の苗等を大量に育成する場合には、柔軟なカーボネート系、ポリアミド系等の樹脂、又はプラスチックで構成され、底部が平坦な逆円錐状の育苗用ポットが一般に使用されている。
【０００３】この育苗用ポットは、縦横複数に収納用凹部の形成されたトレーにそれぞれ手作業収納された後、該育苗用ポット内にそれぞれ土を入れ苗を植え、又は種を蒔いて育てることを目的として使用される。
【０００４】この際、複数個の育苗用ポットをトレーの各収納凹部に装着するのに時間を要し作業効率が悪いという問題点があった。そこで、特開２００２−２４７９２１に記載のような「ポットセット装置」が考えられた。
【０００５】この公報に記載のポットセット装置の特徴は、操作部に外力を加えると縮径して育苗用ポットに挿入可能となり、操作部の外力を解除すると拡径して育苗用ポット内周綿に当接する複数の傘骨状ポット保持具を弾性力を有する帯状板材で形成していることであります。
【０００６】
【発明が解決しようとする課題】しかしながら、上記の従来のポットセット装置は、外力を加える工程を行うことで傘骨状ポット保持具を縮径して育苗用ポット内に挿入する工程と、外力を解除することで傘骨状ポット保持具を拡径して育苗用ポット内周綿に当接して複数の育苗用ポットを取り出す工程と、トレーの収納用凹部に育苗用ポットを位置させて再度外力を加える工程を行うことで傘骨状ポット保持具を縮径して育苗用ポットをトレーに装着するために、その作業工程が多く、連続して複数の育苗用ポットをトレーの収納用凹部に装着するのに時間がかかり、連続した作業には適さないという欠点があった。
【０００７】また、外圧を加える工程は、上面プレートの中央部に設けられた上部グリップと該上部グリップと平行に設けられた下部グリップとを手で握り締めて上部グリップと下部グリップとをスプリングの弾性力に反して近接することにより上面プレートと下面プレートとを接近してポット保持具を縮径するために、連続して外圧を加える工程は、作業者の手首に大きな負担がかかるという欠点があった。
【０００８】そこで、本発明は上記のような問題点を鑑みてなされたもので、装置の構成が簡易で、且つポット保持具の装着が容易な育苗用ポット等の装着装置を提供することを課題とする。
【０００９】
【課題を解決するための手段】即ち、本発明は上記のような課題を解決するために、請求項１において、一端を固定した支軸の設けられた上部プレートと、該上部プレートの下方側で平行で、且つ前記支軸が貫通して設けられた下部プレートと、該下部プレートの貫通した支軸の周縁に一端側を固定し、且つテーパー状に広がって形成された他端側を支軸の他端側に設けられたガイド体に挿通して設けられたポット保持体とから構成されていることを特徴とする。
【００１０】また、請求項２記載のように、前記下部プレートには、該下部プレートに一端側を固定し、他端側を上部プレートより貫通し、且つ中途部が折れ曲がるように構成された支柱と、該支柱の他端部に設けられた把持部とから構成された操作部が設けられていることである。
【００１１】また、請求項３記載のように、ガイド体の外周縁には、ポット保持部で育苗用ポット等を装着した際、育苗用ポット等が内側に変形するのを防止する防止体が設けられていることである。
【００１２】
【作用】即ち、本発明は、把持部を最初の状態（即ち、上部プレートと下部プレートとが一定の間隔を維持した状態）で、ポット保持体は先端側を縮径することとなるので、育苗用ポットにそのままポット保持部を挿入することができる。
その後、把持部を持って内側（又は外側）に移動することで、支柱の中途部が折れ曲がり、上部プレートと下部プレートとが近接することとなる。このため、上部プレートに固定された支軸のガイド体がポット保持体の上方に移動し、ポット保持体が拡径して育苗用ポットの内周面を四隅で等分に押圧することとなり、育苗用ポットを保持することができる。
【００１３】この際、ポット保持体の押圧により育苗用ポットが内側に変形したりする場合があると、ガイド体の外周縁に設けられた防止体により育苗用ポットの変形を防止することができる。
【００１４】その後、その状態（ポット保持部を拡径した状態）で収納凹部の設けられたトレーに位置し、操作部をもとに位置（支柱を伸ばした位置）に戻すことで上部プレートと下部プレートとを離反して育苗用ポットをトレーに保持することができることとなる。
【００１５】このように、本発明の育苗用ポット等の装着装置は、操作部を一度の操作で育苗用ポットを保持することができるとともに、操作部の操作に力を必要としないために連続した育苗用ポットのトレーへの装着が容易に行えることとなる。
【００１６】また、本発明の育苗用ポット等の装着装置は、スプリング等の弾性体を使用していないために、使用時に手首への負担が少ない。
【００１７】
【発明の実施の形態】
本発明の育苗用ポット等の装着装置の一実施例を図面に沿って説明する。説明において図１は本発明の装着装置の一実施例を示し、（イ）は概略平面図、（ロ）はＡ−Ａ線概略断面側面図であり、図２は、本発明の部分説明図で、（イ）はポット保持体を示す概略側面図であり、（ロ）はガイド体を示す底面図であり、図３は本発明の操作部の作動状態を示し、（イ）は作動する前の状態を示す概略説明断面側面図であり、（ロ）は作動後の状態を示す概略説明断面側面図であり、図４は本発明のポット保持体の作動状態を示し、（イ）は育苗用ポットへ挿入した状態を示す概略断面側面図であり、（ロ）は育苗用ポットを保持した状態を示す概略断面側面図である。
【００１８】本発明の育苗用ポット等の装着装置１は、略矩形板状の上部プレート２と、該上部プレート２の下方で上部プレート２に平行する位置に設けられた略矩形板状の下部プレート３と、上部プレート２の下面に一端側５Ａを固定し、且つ下部プレート３に穿設された貫通孔４に挿通され、下部プレート３より突出して設けられた複数の支軸５と、該支軸５の他端側５Ｂに固定され、且つ４つの孔６が中心部より等間隔で設けられた円板状の第一ガイド体７と、該第一ガイド体７の上方近傍で支軸５に固定され、前記４つの孔６にそれぞれに対応する位置で孔６より中心部よりに孔８の穿設された第二ガイド体９と、一端側を支軸５の周辺で前記孔８に対応する位置で、さらに中心部よりに下部プレート３に固定され、前記第二ガイド体９、第一ガイド体７のそれぞれの孔８、孔６に挿通し、他端側がテーパー状に広がった形成された４本のポット保持体１０と、上部プレート２より突出して設けられた操作部１１とから構成されている。
【００１９】前記操作部１１は、上部プレート２の縦長方向の中心より二箇所にそれぞれ穿設された矩形状の孔１２よりそれぞれ２本づつ突出し、一端側を下部プレート３に上面に回動自在に設けられた支柱１３と、該支柱１３の他端側に設けられた把持部１４とから構成されている。尚、前記支柱１３は、下部プレート３側の中途部１５で折れ曲がるように構成されている。
【００２０】即ち、操作部１１は通常状態（支柱１３が垂直状態の位置）では、支軸５に設けられた第一ガイド体７、第二ガイド体９が下方に位置しているために、ポット保持体１０のテーパー状の他端側（下方側）が縮径することとなる。
また、把持部１４を把持してスライド移動することで支柱１３が中途部１５で折れ曲がり、下部プレート３が上部プレート２側に移動して両プレートが最初の位置より接近することとなる。これにより、支軸５に設けられた第一ガイド体７、第二ガイド体９が上方に移動してポット保持体１０のテーパー状の他端側（下方側）が拡径することとなる。
【００２１】前記ポット保持体１０のテーパー状の他端側（下方側）先端部分には、樹脂製で、ポット保持体１０の抜け止めを防止する抜止体１５が設けられている。
【００２２】前記第一ガイド体７の外周縁には、ポット保持体１０で育苗用ポット２０を装着した際、育苗用ポット２０が内側に変形するのを防止する防止体１６が設けられている。
【００２３】次に、上記実施例の装着装置１を使用して、複数の育苗用ポット２０を連続してトレーに装着する場合について説明する。
【００２４】先ず、装着装置１の操作部１１を通常状態、即ち、支柱１３を垂直状態で保持していることで、ポット保持体１０は縮径状態を維持し、容易に育苗用ポット２０に挿入することができる。
【００２５】その後、把持部１４をスライド移動することで、支柱１３を中途部１５で折れ曲げ、下部プレート３を上部プレート２側に移動して両プレートを最初の位置より接近させる。これにより、支軸５に設けられた第一ガイド体７、第二ガイド体９が上方に移動してポット保持体１０のテーパー状の他端側（下方側）を拡径する。
そして、先端側が拡径したポット保持体１０の先端側が育苗用ポット２０を内側等間隔四隅より外側に押圧することとなり、育苗用ポット２０を保持することができる。この際、ポット保持体１０の先端側には、抜止体１５が設けられているために、ポット保持体１０の育苗用ポット２０の内側に接する部分が多くなるとともに、抜け落ちにくくなり、さらに育苗用ポット２０を適切に保持すること
【００２６】また、この育苗用ポット２０を保持した際、育苗用ポット２０が柔軟な材質で構成しているために内側に変形することが起こると、第一ガイド体７の外周縁に設けられた防止体１６によりその変形を防止することができ、育苗用ポット２０がポット保持体１０より離脱することがない。
【００２７】その後、装着装置１を収納凹部の設けられたトレーの場所に移動し、把持部１４を最初の位置にスライド移動することで支柱１３を最初の垂直状態で保持して上部プレート２と下部プレート３とを離反することにより、ポット保持体１０を再度縮径する。これにより、ポット保持体１０が育苗用ポット２０の内側より離反し、育苗用ポット２０をトレーに簡易に装着することができる。
【００２８】このように、本発明の装着装置１は、通常状態でポット保持体１０を育苗用ポット２０に挿入することができ、把持部１４をスライド移動することにより、簡易に育苗用ポット２０を保持し、再度、把持部１４を前記とは逆方向にスライド移動することにより容易に通常状態に戻すことができる。
【００２９】尚、本発明のポット保持体１０の数は、上記実施例のように４本に限定するものでなく、例えば、３本、２本、又は４本以上であってもよく、育苗用ポット２０の形状に応じて自在に変更可能である。
【００３０】又、把持部１４の移動方法も、上記実施例に限定するものでなく、例えば、使用が便利なように外側に移動しても、横方向に移動してもよい。更に、支柱１３の中途部１５での折り曲げも実施例のように一段ではなく二段であっても、さらに多く折り曲げることも可能である。
【００３１】
【発明の効果】このように、本発明の装着装置は、従来の装置に比し少ない工程で育苗用ポットを保持し、さらにトレーに装着することができる。
【００３２】また、スプリング等の弾性体を排除したり、操作部を簡易にする等装着装置の構成を従来に比しさらに簡易にしたことにより、装置の重量がさらに軽減され、その作業性、操作性を格段に向上することが可能となった。
【図面の簡単な説明】
【図１】は、本発明の装着装置の一実施例を示し、（イ）は概略平面図、（ロ）はＡ−Ａ線概略断面側面図である。
【図２】は、本発明の部分説明図で、（イ）はポット保持体を示す概略側面図であり、（ロ）はガイド体を示す底面図である。
【図３】は、本発明の操作部の作動状態を示し、（イ）は作動する前の状態を示す概略説明断面側面図であり、（ロ）は作動後の状態を示す概略説明断面側面図である。
【図４】は、本発明のポット保持体の作動状態を示し、（イ）は育苗用ポットへ挿入した状態を示す概略断面側面図であり、（ロ）は育苗用ポットを保持した状態を示す概略断面側面図である。
【符号の説明】
１…装着装置
２…上部プレート
３…下部プレート
１０…ポット保持体
【図１】
2004208680.tif 000003
【図２】
2004208680.tif 000004
【図３】
2004208680.tif 000005
【図４】
2004208680.tif 000006